(57)【要約】【課題】複数のアンテナを有する無線機においては、選択したアンテナの状況に応じて非選択（未使用）のアンテナの反射位相を適応的に調整することはできない。【解決手段】無線回路１１は、アンテナ１〜３のうち予め定めた切替方式に基づき、１本のアンテナを選択し、選択したアンテナと非選択のアンテナとを特定するアンテナ選択情報を生成して移相器調整回路７〜９に供給する。移相器調整回路７〜９は、移相器４〜６のうち、アンテナ選択情報に基づいて識別した非選択のアンテナに接続された移相器の移相角度を、そのとき選択されているアンテナに応じて予め設定された、非選択のアンテナの終端位相の最適角度に調整する。これにより、選択したアンテナの状況に応じて非選択のアンテナの移相角度の調整が適応的に行われ、非選択アンテナからの反射波と選択したアンテナの送信波との位相のずれを補正し放射効率低下を最小に抑圧することができる。【選択図】図１
2008160606.tif 000002
【特許請求の範囲】
【請求項１】
複数のアンテナのうち選択した１本のアンテナを用いて無線通信を行う無線機において、
前記複数のアンテナの各々に個別に接続され、他のアンテナとの相互結合による選択したアンテナの放射効率の低下を抑止するための移相処理を互いに独立して行う複数の移相器と、
前記複数の移相器の各々に個別に接続されており、接続された移相器の移相角度を入力されたアンテナ選択情報に基づいて、互いに独立して調整する複数の移相器調整回路と、
前記複数のアンテナのうち１本のアンテナを選択する切替スイッチ回路と、
前記複数のアンテナのうち予め定めた切替方式に基づき、前記切替スイッチ回路を制御して１本のアンテナを選択させ、その選択したアンテナを用いて無線通信を行うと共に、前記選択したアンテナと非選択のアンテナとを特定する前記アンテナ選択情報を生成して前記複数の移相器調整回路に供給し、該複数の移相器調整回路のうち非選択のアンテナに接続された移相器に対応して設けられた移相器調整回路により、その対応して設けられた移相器の移相角度を、前記複数のアンテナのアンテナ選択状況に応じて調整させる単一の無線回路と
を有することを特徴とする複数のアンテナを有する無線機。
【請求項２】
前記複数の移相器調整回路は、前記無線回路から入力される前記アンテナ選択情報に基づいて、対応して設けられた移相器が非選択のアンテナに接続された移相器であることを識別したときは、その移相器の移相角度を、そのとき選択されているアンテナに応じて予め設定された、その移相器に接続された非選択のアンテナの終端位相の最適角度に調整することを特徴とする請求項１記載の複数のアンテナを有する無線機。
【請求項３】
複数の無線回路の各々が複数のアンテナを有し、使用する周波数帯に応じて選択された一の前記無線回路が有する前記複数のアンテナのうち選択した１本のアンテナを用いて無線通信を行う無線機であって、
すべての前記アンテナの各々に個別に接続され、他のアンテナとの相互結合による選択したアンテナの放射効率の低下を抑止するための移相処理を互いに独立して行う複数の移相器と、
前記複数の移相器の各々に個別に接続されており、接続された移相器の移相角度を入力されたアンテナ選択情報に基づいて、互いに独立して調整する複数の移相器調整回路と、
前記複数の無線回路に個別に対応して設けられており、対応して設けられた前記無線回路が有する前記複数のアンテナのうち１本のアンテナを選択する複数の切替スイッチ回路と、
使用する周波数帯に応じて選択された一の前記無線回路が、その無線回路が有する前記複数のアンテナのうち、予め定めた切替方式に基づき、前記複数の切替スイッチ回路のうち対応して設けられた一の切替スイッチ回路を制御して１本のアンテナを選択させたとき、前記複数の無線回路からの選択・非選択情報に基づいて、すべての前記アンテナのうち該選択した１本のアンテナと残りの非選択のアンテナとを特定する前記アンテナ選択情報を生成して前記複数の移相器調整回路に供給し、該複数の移相器調整回路のうち非選択のアンテナに接続された移相器に対応して設けられた移相器調整回路により、その対応して設けられた移相器の移相角度を、前記複数のアンテナのアンテナ選択状況に応じて調整させる移相器制御回路と
を有することを特徴とする複数のアンテナを有する無線機。
【請求項４】
前記複数の移相器調整回路は、前記移相器制御回路から入力される前記アンテナ選択情報に基づいて、対応して設けられた移相器が非選択のアンテナに接続された移相器であることを識別したときは、その移相器の移相角度を、そのとき選択されているアンテナに応じて予め設定された、その移相器に接続された非選択のアンテナの終端位相の最適角度に調整することを特徴とする請求項３記載の複数のアンテナを有する無線機。
【請求項５】
複数のアンテナのうち選択した１本のアンテナを用いて無線通信を行う無線機の非選択アンテナの反射位相調整方法において、
前記複数のアンテナのうち予め定めた切替方式に基づき、１本のアンテナを選択する第１のステップと、
前記選択したアンテナと非選択のアンテナとを特定するアンテナ選択情報を生成する第２のステップと、
前記複数のアンテナの各々に個別に接続され、他のアンテナとの相互結合による選択したアンテナの放射効率の低下を抑止するための移相処理を互いに独立して行う複数の移相器のうち、前記アンテナ選択情報に基づいて識別した非選択のアンテナに接続された移相器の移相角度を、そのとき選択されているアンテナに応じて予め設定された、その移相器に接続された非選択のアンテナの終端位相の最適角度に調整する第３のステップと
を含むことを特徴とする無線機の非選択アンテナの反射位相調整方法。
【請求項６】
複数の無線回路の各々が複数のアンテナを有し、使用する周波数帯に応じて選択された一の前記無線回路が有する前記複数のアンテナのうち選択した１本のアンテナを用いて無線通信を行う無線機の非選択アンテナの反射位相調整方法であって、
使用する周波数帯に応じて前記複数の無線回路から一の前記無線回路を選択すると共に、選択した無線回路が有する前記複数のアンテナのうち１本のアンテナを予め定めた切替方式に基づき選択する第１のステップと、
すべての前記アンテナのうち、前記選択したアンテナと非選択のアンテナとを特定するアンテナ選択情報を生成する第２のステップと、
すべての前記アンテナの各々に個別に接続され、他のアンテナとの相互結合による選択したアンテナの放射効率の低下を抑止するための移相処理を互いに独立して行う複数の移相器のうち、前記アンテナ選択情報に基づいて識別した非選択のアンテナに接続された移相器の移相角度を、そのとき選択されているアンテナに応じて予め設定された、その移相器に接続された非選択のアンテナの終端位相の最適角度に調整する第３のステップと
を含むことを特徴とする無線機の非選択アンテナの反射位相調整方法。
【発明の詳細な説明】
【技術分野】
【０００１】
本発明は複数のアンテナを有する無線機及びその非選択アンテナの反射位相調整方法に係り、特にアンテナダイバーシティ方式などに基づいて選択される複数のアンテナを有する無線機及びその非選択アンテナの反射位相調整方法に関する。
【背景技術】
【０００２】
切替ダイバーシティを行う無線機など複数のアンテナを有する無線機においては、アンテナ同士の相互結合による放射効率の低下の問題がある。その理由は、選択したアンテナから送信した電波を非選択（未使用）アンテナで受信、反射して再放射する現象において、選択したアンテナから送信した電波と非選択（未使用）アンテナから反射して再放射する電波との間の位相のずれによる。
【０００３】
そこで、上記のアンテナ同士の相互結合による放射効率の低下の問題を解決するために、携帯電話機の分野においては、筐体内に所定の間隔をもって配置された２つのアンテナ（ヘリカルアンテナと内部アンテナ）のうち、アンテナダイバーシティ動作により一方のアンテナをアンテナダイバーシティスイッチで選択する携帯電話機において、アンテナダイバーシティスイッチと上記の２つのアンテナのうちの少なくとも一方のアンテナとの間に、２つのアンテナの位相の調整を行うことにより、２つのアンテナの位相の整合性を変える移相回路を備える構成の携帯電話機が提案されている（例えば、特許文献１参照）。
【０００４】
また、アンテナ切替ダイバーシチ受信を行う時分割多元接続方式の携帯無線機において、送受信アンテナを選択しているときに非選択ブランチ（受信用アンテナ）の最適終端条件を送信時と受信時とで切り替えることで、受信アンテナとの相互結合による送受信アンテナの放射特性の劣化を防止するようにした携帯無線機も従来提案されている（例えば、特許文献２参照）。
【０００５】
【特許文献１】特開２００１−１１９２３９号公報
【特許文献２】特開２０００−２１６７１６号公報
【発明の開示】
【発明が解決しようとする課題】
【０００６】
しかしながら、特許文献１記載の携帯電話機は、２つのアンテナの少なくとも一方とアンテナダイバーシティスイッチとの間に設けられる移相回路は、希望周波数帯域内における２つのアンテナの干渉（レベル低下）を希望周波数帯域外にシフトさせるための集中定数回路で構成された回路であり、その周波数特性は固定であり、選択したアンテナの状況に応じて非選択（未使用）のアンテナの反射位相を適応的に調整することはできない。
【０００７】
また、特許文献２記載の携帯無線機は、時分割多元接続方式の送受信アンテナと受信アンテナとを備えた無線機であり、送受信アンテナを選択しているときに、非選択アンテナである受信アンテナの最適終端条件を送信時と受信時で切り替えるために、受信アンテナに２つの位相補正回路を選択的に挿入する構成であり、このものも選択したアンテナの状況に応じて非選択（未使用）のアンテナの反射位相を適応的に調整することはできない。
【０００８】
本発明は以上の点に鑑みなされたもので、選択したアンテナの状況に応じて非選択（未使用）のアンテナの位相の調整を適応的に行うことで、非選択（未使用）アンテナからの反射波と選択したアンテナの送信波との位相のずれを補正し放射効率低下を抑圧し得る複数のアンテナを有する無線機及びその非選択アンテナの反射位相調整方法を提供することを目的とする。
【課題を解決するための手段】
【０００９】
本発明の無線機は上記の目的を達成するため、複数のアンテナのうち選択した１本のアンテナを用いて無線通信を行う無線機において、複数のアンテナの各々に個別に接続され、他のアンテナとの相互結合による選択したアンテナの放射効率の低下を抑止するための移相処理を互いに独立して行う複数の移相器と、複数の移相器の各々に個別に接続されており、接続された移相器の移相角度を入力されたアンテナ選択情報に基づいて、互いに独立して調整する複数の移相器調整回路と、複数のアンテナのうち１本のアンテナを選択する切替スイッチ回路と、複数のアンテナのうち予め定めた切替方式に基づき、切替スイッチ回路を制御して１本のアンテナを選択させ、その選択したアンテナを用いて無線通信を行うと共に、選択したアンテナと非選択のアンテナとを特定するアンテナ選択情報を生成して複数の移相器調整回路に供給し、複数の移相器調整回路のうち非選択のアンテナに接続された移相器に対応して設けられた移相器調整回路により、その対応して設けられた移相器の移相角度を、複数のアンテナのアンテナ選択状況に応じて調整させる単一の無線回路とを有することを特徴とする。
【００１０】
この発明では、単一の無線回路からのアンテナ選択情報に基づいて、複数の移相器調整回路のうち非選択のアンテナに接続された移相器に対応して設けられた移相器調整回路により、その対応して設けられた移相器の移相角度を、複数のアンテナのアンテナ選択状況に応じて調整させるようにしたため、複数のアンテナのうちどのアンテナが選択された場合でも非選択のアンテナの移相角度を最適な角度に調整ができる。
【００１１】
また、本発明は、上記の目的を達成するため、上記の複数の移相器調整回路を、無線回路から入力されるアンテナ選択情報に基づいて、対応して設けられた移相器が非選択のアンテナに接続された移相器であることを識別したときは、その移相器の移相角度を、そのとき選択されているアンテナに応じて予め設定された、その移相器に接続された非選択のアンテナの終端位相の最適角度に調整することを特徴とする。
【００１２】
また、本発明の無線機は上記の目的を達成するため、複数の無線回路の各々が複数のアンテナを有し、使用する周波数帯に応じて選択された一の無線回路が有する複数のアンテナのうち選択した１本のアンテナを用いて無線通信を行う無線機であって、すべてのアンテナの各々に個別に接続され、他のアンテナとの相互結合による選択したアンテナの放射効率の低下を抑止するための移相処理を互いに独立して行う複数の移相器と、複数の移相器の各々に個別に接続されており、接続された移相器の移相角度を入力されたアンテナ選択情報に基づいて、互いに独立して調整する複数の移相器調整回路と、複数の無線回路に個別に対応して設けられており、対応して設けられた無線回路が有する複数のアンテナのうち１本のアンテナを選択する複数の切替スイッチ回路と、使用する周波数帯に応じて選択された一の無線回路が、その無線回路が有する複数のアンテナのうち、予め定めた切替方式に基づき、複数の切替スイッチ回路のうち対応して設けられた一の切替スイッチ回路を制御して１本のアンテナを選択させたとき、複数の無線回路からの選択・非選択情報に基づいて、すべてのアンテナのうち選択した１本のアンテナと残りの非選択のアンテナとを特定するアンテナ選択情報を生成して複数の移相器調整回路に供給し、複数の移相器調整回路のうち非選択のアンテナに接続された移相器に対応して設けられた移相器調整回路により、その対応して設けられた移相器の移相角度を、複数のアンテナのアンテナ選択状況に応じて調整させる移相器制御回路とを有することを特徴とする。
【００１３】
この発明では、複数の無線回路の各々が複数のアンテナを有し、使用する周波数帯に応じて選択された一の無線回路が有する複数のアンテナのうち選択した１本のアンテナを用いて無線通信を行う無線機において、すべてのアンテナのうち選択した１本のアンテナと残りの非選択のアンテナとを特定するアンテナ選択情報を生成して複数の移相器調整回路に供給し、複数の移相器調整回路のうち非選択のアンテナに接続された移相器に対応して設けられた移相器調整回路により、その対応して設けられた移相器の移相角度を、複数のアンテナのアンテナ選択状況に応じて調整させることができる。
【００１４】
ここで、上記の複数の移相器調整回路は、移相器制御回路から入力されるアンテナ選択情報に基づいて、対応して設けられた移相器が非選択のアンテナに接続された移相器であることを識別したときは、その移相器の移相角度を、そのとき選択されているアンテナに応じて予め設定された、その移相器に接続された非選択のアンテナの終端位相の最適角度に調整することを特徴とする。
【００１５】
また、上記の目的を達成するため、本発明は複数のアンテナのうち選択した１本のアンテナを用いて無線通信を行う無線機の非選択アンテナの反射位相調整方法において、複数のアンテナのうち予め定めた切替方式に基づき、１本のアンテナを選択する第１のステップと、選択したアンテナと非選択のアンテナとを特定するアンテナ選択情報を生成する第２のステップと、複数のアンテナの各々に個別に接続され、他のアンテナとの相互結合による選択したアンテナの放射効率の低下を抑止するための移相処理を互いに独立して行う複数の移相器のうち、アンテナ選択情報に基づいて識別した非選択のアンテナに接続された移相器の移相角度を、そのとき選択されているアンテナに応じて予め設定された、その移相器に接続された非選択のアンテナの終端位相の最適角度に調整する第３のステップとを含むことを特徴とする。
【００１６】
この発明では、非選択のアンテナに接続された移相器の移相角度を、複数のアンテナのアンテナ選択状況に応じて調整させるようにしたため、複数のアンテナのうちどのアンテナが選択された場合でも非選択のアンテナの移相角度を最適な角度に調整ができる。
【００１７】
また、上記の目的を達成するため、本発明は、複数の無線回路の各々が複数のアンテナを有し、使用する周波数帯に応じて選択された一の無線回路が有する複数のアンテナのうち選択した１本のアンテナを用いて無線通信を行う無線機の非選択アンテナの反射位相調整方法であって、使用する周波数帯に応じて複数の無線回路から一の無線回路を選択すると共に、選択した無線回路が有する複数のアンテナのうち１本のアンテナを予め定めた切替方式に基づき選択する第１のステップと、すべてのアンテナのうち、選択したアンテナと非選択のアンテナとを特定するアンテナ選択情報を生成する第２のステップと、すべてのアンテナの各々に個別に接続され、他のアンテナとの相互結合による選択したアンテナの放射効率の低下を抑止するための移相処理を互いに独立して行う複数の移相器のうち、アンテナ選択情報に基づいて識別した非選択のアンテナに接続された移相器の移相角度を、そのとき選択されているアンテナに応じて予め設定された、その移相器に接続された非選択のアンテナの終端位相の最適角度に調整する第３のステップとを含むことを特徴とする。
【００１８】
この発明では、複数の無線回路の各々が複数のアンテナを有し、使用する周波数帯に応じて選択された一の無線回路が有する複数のアンテナのうち選択した１本のアンテナを用いて無線通信を行う無線機において、すべてのアンテナのうち選択した１本のアンテナと残りの非選択のアンテナとを特定するアンテナ選択情報を生成し、すべてのアンテナの各々に個別に接続された複数の移相器のうち、アンテナ選択情報に基づいて識別した非選択のアンテナに接続された移相器の移相角度を、そのとき選択されているアンテナに応じて予め設定された、その移相器に接続された非選択のアンテナの終端位相の最適角度に調整することにより、複数のアンテナのうちどのアンテナが選択された場合でも非選択のアンテナの移相角度を最適な角度に調整ができる。
【発明の効果】
【００１９】
本発明によれば、非選択のアンテナに接続された移相器の移相角度を、無線機が有する複数のアンテナのアンテナ選択状況に応じて調整させることにより、複数のアンテナのうちどのアンテナが選択された場合でも非選択のアンテナの移相角度を最適な角度に調整ができるようにしたため、複数のアンテナのうち、どのアンテナが選択された場合でも、その選択したアンテナの放射効率低下を最小に抑圧することができる。
【００２０】
また、本発明によれば、複数の無線回路の各々が複数のアンテナを有し、使用する周波数帯に応じて選択された一の無線回路が有する複数のアンテナのうち選択した１本のアンテナを用いて無線通信を行う無線機において、どのアンテナが選択された場合でも、非選択のアンテナの反射波の位相を、選択したアンテナの送信波の位相とのずれを最適に補正し放射効率低下を最小に抑圧することができる。
【発明を実施するための最良の形態】
【００２１】
次に、本発明の実施の形態について図面と共に説明する。図１は本発明になる複数のアンテナを有する無線機の第１の実施の形態のブロック図を示す。同図において、本実施の形態の無線機は、複数のアンテナ１、２、３、・・・を有している。ここで、図面ではアンテナの数は３以上であることを示しているが、以下の説明では便宜上、アンテナの本数は１〜３の３本であるものとして説明する。アンテナ１〜３は、無指向性アンテナである。また、本実施の形態の無線機は固定局であるか移動局であるかを問わない。
【００２２】
アンテナ１、２、３には、非選択（未使用）時の反射位相を調整するための移相処理を行う移相器４、５、６がそれぞれ個別に接続されている。移相器４、５、６には、その移相量を互いに独立して調整制御する移相器調整回路７、８、９が個別に接続されている。
【００２３】
また、無線機は、１つの無線回路（送受信回路）１１を有し、その無線回路１１には、アンテナ１〜３の切替を行うためのアンテナ切替スイッチ回路１０が接続されている。無線回路１１は切替スイッチ回路１０を制御してアンテナ切替動作を行うと共に、アンテナ切替スイッチ回路１０及び選択したアンテナに接続された移相器を通して選択したアンテナに接続され、その選択したアンテナを用いて送受信を行う。
【００２４】
このアンテナ切替の方法としては、アンテナ１〜３が同じ周波数帯で共振し、受信電界強度を目安に例えば最も受信電界強度の高いアンテナを選択するように切り替えを行う方式や、アンテナ１〜３が異なる周波数帯で共振していて使用する周波数帯に応じてアンテナ切り替えを行う方式などがあるが、本発明ではこれらのどの方式でも適用可能である。
【００２５】
アンテナ切替スイッチ回路１０は移相器４〜６に接続されると共に、移相器調整回路７〜９にも接続されている。移相器調整回路７〜９はアンテナ１〜３の選択動作を行う無線回路１１からどのアンテナを選択したかの情報を受け、非選択（未使用）アンテナの反射移相を、選択したアンテナに対して最適な位相に調整を行い、選択したアンテナの放射効率低下を抑止する。
【００２６】
次に、本実施の形態の動作について説明する。いま、所定のアンテナ切替方式に従い、無線回路１１がアンテナ切替スイッチ回路１０により、１本のアンテナを選択し、それ以外のアンテナは非選択とさせると共に、無線回路１１はどのアンテナを選択し、どのアンテナを非選択としたかを示すアンテナ選択情報を移相器調整回路７、８及び９にそれぞれ供給する。
【００２７】
移相器調整回路７、８及び９のうち、非選択のアンテナに接続された移相器の移相角度を調整する移相器調整回路は、入力されたアンテナ選択情報に基づいて、選択したアンテナの移相器の移相角度に対して、対応する非選択アンテナの終端位相の最適角度に基づいて、接続されている移相器の移相角度を調整する。従って、例えば、アンテナ１を選択し、アンテナ２及び３は非選択（未使用）としたものとすると、移相器調整回路７、８及び９のうち、非選択のアンテナ２、３に接続された移相器５、６の移相角度を調整する移相器調整回路８、９は、入力されたアンテナ選択情報に基づいて、選択したアンテナ１の移相器４の移相角度に対して、対応する非選択アンテナ２、３の終端位相の最適角度に、接続されている移相器５、６の移相角度を調整する。
【００２８】
この位相角度調整動作について更に詳細に説明する。いま、説明の簡単のため、２本のアンテナを搭載した無線機の場合について説明すると、非選択（未使用）のアンテナの終端位相と選択したアンテナの放射効率の関係は、例えば図２に示すようになる。このとき、選択したアンテナに接続された移相器の移相角度（これをＸとする）は、任意の角度で構わない。図２は、選択したアンテナに接続された移相器の角度Ｘに対し、非選択（未使用）のアンテナの終端移相角度は約１２０°である放射効率が最大となることを示している。
【００２９】
すなわち、非選択（未使用）のアンテナの終端移相角度を約１２０°とすると、選択したアンテナからの送信電波と非選択（未使用）アンテナから反射して再放射する反射波との間の位相のずれが最も小さくなり、選択したアンテナの放射効率の低下を最小に抑圧することができる。そこで、非選択（未使用）のアンテナに接続された移相器の移相角度を調整する移相器調整回路は、接続されている移相器の移相角度を、非選択（未使用）のアンテナの終端位相の最適角度である約１２０°に調整する。
【００３０】
このように、複数のアンテナのうち、非選択（未使用）のアンテナに接続された移相器には、選択したアンテナの放射効率を最大にする、非選択（未使用）のアンテナの終端位相の最適角度が存在するので、移相器調整回路によりその最適角度に調整される。図１の本実施の形態における選択したアンテナと移相器４〜６の最適条件をまとめると、表１のようになる。
【００３１】
【表１】
2008160606.tif 000003
表１から分かるように、非選択（未使用）アンテナに接続された移相器の移相角度は、選択されたアンテナの状況に応じて適応的に変わる。例えば、移相器４の移相角度は、アンテナ２選択時はＣ度であり、アンテナ３選択時はＥ度と変わり、移相器５の移相角度は、アンテナ１選択時はＡ度であり、アンテナ３選択時はＦ度と変わり、移相器６の移相角度は、アンテナ１選択時はＢ度であり、アンテナ２選択時はＤ度と変わる。上記の非選択（未使用）アンテナに接続された移相器の移相角度は、選択したアンテナと他の各移相器の移相角度との関係に基づいて、実験等により予め定められている。
【００３２】
図１の移相器調整回路７〜９のうち、非選択（未使用）のアンテナに接続された移相器調整回路は、無線回路１１からのアンテナ選択情報を受けて、表１のように移相器４〜６のうち対応する移相器の移相角度を調整することにより、非選択（未使用）のアンテナの反射波位相を最適化し、選択したアンテナの放射効率低下を最小に抑圧することができる。
【００３３】
このように、本実施の形態では、無線回路１１が複数のアンテナ１〜３のうち予め定めた切替方式に基づき、１本のアンテナを切替スイッチ回路１０により選択させると共に、無線回路１１が選択したアンテナと非選択のアンテナとを特定するアンテナ選択情報を生成して移相器調整回路７〜９に供給する。移相器調整回路７〜９は、複数のアンテナ１〜３の各々に個別に接続され、他のアンテナとの相互結合による選択したアンテナの放射効率の低下を抑止するための移相処理を互いに独立して行う複数の移相器４〜６のうち、アンテナ選択情報に基づいて識別した非選択のアンテナに接続された移相器の移相角度を、そのとき選択されているアンテナに応じて予め設定された、その移相器に接続された非選択のアンテナの終端位相の最適角度に調整することにより、選択したアンテナの状況に応じて非選択（未使用）のアンテナの位相の調整を適応的に行うことで、非選択（未使用）アンテナからの反射波と選択したアンテナの送信波との位相のずれを補正し放射効率低下を最小に抑圧することができる。
【００３４】
次に、本発明の第２の実施の形態について説明する。図３は本発明になる複数のアンテナを有する無線機の第２の実施の形態のブロック図を示す。図３に示す第２の実施の形態は、異なる２つの周波数帯を使用する無線機で２つの無線回路（送受信回路）３５及び無線回路（送受信回路）３６を有する。無線回路３５はアンテナ２１、２２の二本のアンテナを有し、その各アンテナ２１、２２にはそれぞれ移相器２５、２６が接続されている。無線回路３５にはアンテナ２１、２２の切替を行うための切替スイッチ回路３３が接続され、切替スイッチ回路３３は無線回路３５によって制御されアンテナ切替動作を行う。
【００３５】
もう一方の無線回路３６も同様に、アンテナ２３、２４の二本のアンテナを有し、その各アンテナ２３、２４にはそれぞれ移相器２７、２８が接続されている。無線回路３６にはアンテナ２３、２４の切替を行うための切替スイッチ回路３４が接続され、切替スイッチ回路３４は無線回路３６によって制御されアンテナ切替動作を行う。
【００３６】
アンテナ２１、２２、２３、２４に個別に接続されている移相器２５、２６、２７、２８にはそれぞれ移相器調整回路２９、３０、３１、３２が接続されて、それにより移相角度が制御調整される。また、移相器制御回路３７は無線回路３５及び３６にそれぞれ接続されており、アンテナ２１、２２、２３、２４のうち、どのアンテナを選択した状態であるかを移相器調整回路２９〜３２へ入力する。なお、アンテナ２１〜２４は、無指向性アンテナである。また、本実施の形態の無線機は固定局であるか移動局であるかを問わない。
【００３７】
次に、本実施の形態の動作について説明する。いま、無線通信で使用する周波数帯が、無線回路３５による周波数帯であるものとすると、無線回路３５が所定のアンテナ切替方式に従い、アンテナ切替スイッチ回路３３により、アンテナ２１及び２２のうちの１本のアンテナを選択し、もう一方のアンテナ２２は非選択とさせると共に、無線回路３５はどのアンテナを選択し、どのアンテナを非選択としたかを示すアンテナ選択情報を移相器制御回路３７に供給する。
【００３８】
移相器制御回路３７は、無線回路３５からのアンテナ選択情報に基づき、アンテナ２１を選択した状態であることを示すアンテナ選択情報を、移相器調整回路２９〜３２へ入力する。これにより、移相器調整回路２９〜３２のうち、非選択のアンテナ２２、２３、２４に接続された移相器２６、２７、２８の移相角度を調整する移相器調整回路３０、３１、３２は、入力されたアンテナ選択情報に基づいて、選択したアンテナ２１の移相器２５の移相角度に対して、対応する非選択アンテナ２２、２３、２４の終端位相の最適角度に基づいて、接続されている移相器２６、２７、２８の移相角度を調整する。
【００３９】
このように、非選択（未使用）のアンテナ２２、２３、２４の終端位相をそれぞれ最適角度に調整すると、選択したアンテナ２１からの送信電波と非選択（未使用）アンテナ２２、２３、２４から反射して再放射する反射波との間の位相のずれが最も小さくなり、選択したアンテナ２１の放射効率の低下を最小に抑圧することができる。他のアンテナを選択した場合も同様に、非選択（未使用）アンテナに接続された移相器の移相角度は、選択されたアンテナの状況に応じて適応的に変えられ、非選択（未使用）アンテナの終端位相をそれぞれ最適角度に調整する動作が行われる。
【００４０】
このように、本実施の形態では、使用する周波数帯に応じて２つの無線回路３５及び３６から一の無線回路を選択すると共に、選択した無線回路が有する複数のアンテナのうち１本のアンテナを予め定めた切替方式に基づき選択するステップと、すべてのアンテナのうち、選択したアンテナと非選択のアンテナとを特定するアンテナ選択情報を生成するステップと、すべてのアンテナの各々に個別に接続され、他のアンテナとの相互結合による選択したアンテナの放射効率の低下を抑止するための移相処理を互いに独立して行う移相器２５〜２８のうち、アンテナ選択情報に基づいて識別した非選択のアンテナに接続された移相器の移相角度を、そのとき選択されているアンテナに応じて予め設定された、その移相器に接続された非選択のアンテナの終端位相の最適角度に調整するステップとを含むことで、非選択（未使用）アンテナの終端位相をそれぞれ最適角度に調整する動作が行われる。
【００４１】
なお、以上の実施の形態において、送信時及び受信時のいずれの場合も、選択アンテナの状況に応じて非選択（未使用）アンテナに接続された移相器による移相角度調整は行われる。また、本発明は以上の実施の形態に限定されるものではなく、例えばアンテナは複数本であればよい。
【図面の簡単な説明】
【００４２】
【図１】本発明の第１の実施の形態のブロック図である。
【図２】選択アンテナの放射効率と未使用アンテナの移相器角度との関係の一例を示す図である。
【図３】本発明の第２の実施の形態のブロック図である。
【符号の説明】
【００４３】
１、２、３、２１、２２、２３、２４  アンテナ
４、５、６、２５、２６、２７、２８  移相器
７、８、９、２９、３０、３１、３２  移相器調整回路
１０、３３、３４  切替スイッチ回路
１１、３５、３６  無線回路
３７  移相器制御回路
【図１】
2008160606.tif 000004
【図２】
2008160606.tif 000005
【図３】
2008160606.tif 000006